(57)【要約】【課題】  調査対象文書の情報を比較対象となる文書に対して解析し報告書とする。【解決手段】  調査対象文書の情報を比較対象となる文書に対して自動的に解析する情報解析報告書作成装置であって、調査対象文書及び比較対象文書を入力する入力手段と、情報解析の条件を入力する入力手段と、調査対象文書と類似な文書群からなる母集団文書の選出手段と、索引語の抽出手段と、該索引語の重要度の演算手段と、前記母集団の選出結果と前記索引語の演算結果とを、表示手段、記録手段、又は通信手段に出力する出力手段とを備えたことを特徴とし、人間が調査対象の文書も膨大な比較対象文書も、それらの内容を一切読むことなく、該調査対象の文書の情報を的確に表す、マップ、データ、或いはコメントを自動的に解析する装置と方法とプログラムを提供する。【選択図】  図２
2005128978.tif 000002
【特許請求の範囲】
【請求項１】
調査対象文書の情報解析において、調査対象文書の比較対象文書に対する特徴を的確にそして自動的に作成する情報解析報告書自動作成装置であって、
前記調査対象文書及び前記比較対象文書を指定して入力し、前記情報解析をする条件を入力する入力手段と、
前記調査対象文書と類似な文書群からなる母集団文書を比較対象文書から選出する選出手段と、
前記調査対象文書の前記母集団文書に対する特徴ある索引語を抽出する抽出手段と、
前記調査対象文書の特徴を表わす、母集団或いは索引語を表示、記録、又は通信に出力する出力手段と
を備えたことを特徴とする、情報解析報告書自動作成装置。
【請求項２】
請求項１に記載の、情報解析報告書自動作成装置であって、
前記調査対象文書と類似な文書群からなる母集団文書を比較対象文書から選出する選出手段において、
前記選出手段が、比較対象文書に対する類似率を算出する算出手段の結果により選出する選出手段であること
を特徴とする、情報解析報告書自動作成装置
【請求項３】
請求項２に記載の、情報解析報告書自動作成装置であって、
前記選出手段が、比較対象文書に対する類似率を算出する算出手段の結果により選出する選出手段であることにおいて、
前記類似率を算出する算出手段が、各文書の索引語毎の出現頻度と文書頻度の関数値による類似率の算出手段であること
を特徴とする、情報解析報告書自動作成装置。
【請求項４】
請求項２に記載の、情報解析報告書自動作成装置であって、
前記調査対象文書の特徴を表わす、母集団或いは索引語を表示、記録、又は通信に出力する出力手段において、
前記母集団或いは前記索引語を分布させてマップ状にして表示する前記表示手段と、
前記母集団或いは前記索引語のデータを一部表示する表示手段と、
前記出力手段が、その内容に応じた定形のコメントを自動的に若しくは選択して、或いは自由なコメントを記入若しくは選択して表示する出力手段を含む
ことを特徴とする、情報解析報告書自動作成装置。
【請求項５】
調査対象文書及び比較対象文書を指定して入力し、情報解析をする条件を入力する入力手段と、
前記調査対象文書と類似な文書群からなる母集団文書を前記比較対象文書から選出する選出手段と、
前記調査対象文書の前記母集団文書に対する特徴ある索引語を抽出する抽出手段と、
前記調査対象文書の特徴を表わす、前記母集団或いは前記索引語を表示、記録、又は通信に出力する出力手段と
を備えたことを特徴とする、情報解析報告書自動作成装置の情報処理手段にて動作し、
前記調査対象文書の情報解析において、前記調査対象文書の前記比較対象文書に対する特徴を的確にそして自動的に作成する情報解析報告書自動作成プログラムであって、
前記調査対象文書及び前記比較対象文書を指定して入力し、前記情報解析をする条件を入力する機能と、
前記調査対象文書と類似な文書群からなる母集団文書を比較対象文書から選出する機能と、
前記調査対象文書の前記母集団文書に対する特徴ある索引語を抽出する機能と、
前記調査対象文書の特徴を表わす、母集団或いは索引語を表示、記録、又は通信に出力する機能と
を実現させることを特徴とした情報解析報告書自動作成プログラム。
【請求項６】
請求項５記載の、情報解析報告書自動作成装置の情報処理手段にて動作し、
前記調査対象文書の情報解析において、前記調査対象文書の前記比較対象文書に対する特徴を的確にそして自動的に作成する情報解析報告書自動作成プログラムであって、
前記調査対象文書と類似な文書群からなる母集団文書を比較対象文書から選出する機能において、
前記選出機能が、比較対象文書に対する類似率を算出する算出機能の結果により選出する機能であること
を実現させることを特徴とした情報解析報告書自動作成プログラム。
【請求項７】
請求項６記載の、情報解析報告書自動作成装置の情報処理手段にて動作し、
前記調査対象文書の情報解析において、前記調査対象文書の前記比較対象文書に対する特徴を的確にそして自動的に作成する情報解析報告書自動作成プログラムであって、
前記比較対象文書に対する類似率を算出する算出機能の結果により選出する機能において、
前記類似率を算出する算出機能が、各文書の索引語毎の出現頻度と文書頻度の関数値による類似率の算出機能であること
を実現させることを特徴とした情報解析報告書自動作成プログラム。
【請求項８】
請求項６記載の、情報解析報告書自動作成装置の情報処理手段にて動作し、
前記調査対象文書の情報解析において、前記調査対象文書の前記比較対象文書に対する特徴を的確にそして自動的に作成する情報解析報告書自動作成プログラムであって、
前記調査対象文書の特徴を表わす、母集団或いは索引語を表示、記録、又は通信に出力する機能において、
前記母集団或いは前記索引語を分布させてマップ状にして表示する前記表示機能と、
前記母集団或いは前記索引語のデータを一部表示する表示機能と、
前記出力機能が、その内容に応じた定形のコメントを自動的に若しくは選択して、或いは自由なコメントを記入若しくは選択して表示する出力機能を含むこと
を実現させることを特徴とした情報解析報告書自動作成プログラム。
【請求項９】
調査対象文書及び比較対象文書を指定して入力し、情報解析をする条件を入力する入力手段と、
前記調査対象文書と類似な文書群からなる母集団文書を前記比較対象文書から選出する選出手段と、
前記調査対象文書の前記母集団文書に対する特徴ある索引語を抽出する抽出手段と、
前記調査対象文書の特徴を表わす、前記母集団或いは前記索引語を表示、記録、又は通信に出力する出力手段と
を備えたことを特徴とする、情報解析報告書自動作成装置を用いて、
前記調査対象文書の情報解析において、前記調査対象文書の前記比較対象文書に対する特徴を的確にそして自動的に作成する情報解析報告書自動作成方法であって、
前記調査対象文書及び前記比較対象文書を指定して入力し、前記情報解析をする条件を入力する工程と、
前記調査対象文書と類似な文書群からなる母集団文書を比較対象文書から選出する工程と、
前記調査対象文書の前記母集団文書に対する特徴ある索引語を抽出する工程と、
前記調査対象文書の特徴を表わす、母集団或いは索引語を表示、記録、又は通信に出力する工程と
を含むことを特徴とした情報解析報告書自動作成方法。
【請求項１０】
請求項９記載の、情報解析報告書自動作成方法であって、
前記調査対象文書と類似な文書群からなる母集団文書を比較対象文書から選出する工程において、
前記選出工程が、比較対象文書に対する類似率を算出する算出機能の結果により選出する工程であること
を含むことを特徴とした情報解析報告書自動作成方法。
【請求項１１】
請求項１０記載の、情報解析報告書自動作成方法であって、
前記比較対象文書に対する類似率を算出する算出工程の結果により選出する工程において、
前記類似率を算出する算出工程が、各文書の索引語毎の出現頻度と文書頻度の関数値による類似率の算出工程であること
を含むことを特徴とした情報解析報告書自動作成方法。
【請求項１２】
請求項１０記載の、情報解析報告書自動作成方法であって、
前記調査対象文書の特徴を表わす、前記母集団或いは前記索引語を表示、記録、又は通信に出力する工程において、
前記母集団或いは前記索引語を分布させてマップ状にして表示する表示工程と、
前記母集団或いは前記索引語のデータを一部表示する表示工程と、
前記出力工程が、その内容に応じた定形のコメントを自動的に若しくは選択して、或いは自由なコメントを記入若しくは選択して表示する出力工程と
を含むことを特徴とした情報解析報告書自動作成方法。
【発明の詳細な説明】
【技術分野】
【０００１】  本発明は、文書の解析装置に係わり、特に調査対象文書或いは文書群を解析して、その特徴を表す情報解析報告書自動作成装置、プログラム、及び方法に関するものである。
【背景技術】
【０００２】  特許文書をはじめ技術的文書やその他の文書は年々確実に量が増えている。近年、文書データが電子化されて流通するようになってから、膨大な文書から調査対象の文書に類似した文書だけを自動検索するシステムが実用化されてきた。しかし、それでも検索結果の類似文書の量は多く、調査対象の文書の内容或いは性格を知るためには、熟練した者が検索結果の類似文書を読み込まなければならなかった。【０００３】  例えば、特許文献１の「類似文書検索装置及び類似文書検索方法」においても、調査対象の文書或いは文書群に含まれる索引語を比較対象の文書群に含まれる索引語と比較し、類似する索引語の種類や出現回数などから類似度を算出し、最も類似度の高い文書から順に出力している。図６は特許文献１に示される装置の全体構成図である。従来、入力装置６０２から入力された調査対象文書は、制御装置６０１の中の類似度算出システムによりある抽出条件にて外部補助記憶装置６０３のデータベースの文書群と比較して類似度算出の処理をし、出力装置６０４にて出力し、出力した文書一覧の結果に基づいて類似度の高い文書の内容を熟練した評価者が読み込んで、調査対象文書の評価としていた。評価者は、類似度の高い文書の内容を知るために、それらの数件乃至数千件程度を読み込まなければならなかった。
【特許文献１】特開平１１−７３４１５「類似文書検索装置及び類似文書検索方法」
【発明の開示】
【発明が解決しようとする課題】
【０００４】  しかし従来、前述した特許文献１と同様な類似文書自動検索システムは、比較対象文書群の中から、調査対象文書に類似した文書一覧を検索結果として出力し、評価者が、調査対象文書に類似した該文書一覧から類似度の高い文書を数件から数千件程度抽出して読み込み、調査対象の文書に類似している文書を見つけ、更に読み込んで評価し、それらを基準に調査対象文書の性格を位置付けていたので、評価者は、文書を数件から数千件程度抽出て読み込まなければ、調査対象の文書の性格を的確に表す表現を見つけることができない、という不具合が生じていた。【０００５】  そこで、本発明は、人間が調査対象の文書も膨大な比較対象の文書も、それらの内容を一切読むことなく、該調査対象の文書の情報を的確に報告できる、情報解析報告書を自動的に作成することを目的とする。
【課題を解決するための手段】
【０００６】  上記課題を解決するために本発明は、調査対象文書及び比較対象文書を指定して入力し、情報解析をする条件を入力する入力手段と、前記調査対象文書と類似な文書群からなる母集団文書を前記比較対象文書から選出する選出手段と、前記調査対象文書の前記母集団文書に対する特徴ある索引語を抽出する抽出手段と、前記調査対象文書の特徴を表わす、母集団或いは索引語を表示、記録、又は通信に出力する出力手段とを備えたことを特徴とする。【０００７】  また、上記課題を解決するために本発明は、前記調査対象文書及び前記比較対象文書を指定して入力し、前記情報解析をする条件を入力する入力手段と、前記調査対象文書と類似な文書群からなる母集団文書を比較対象文書から選出する選出手段と、前記調査対象文書の前記母集団文書に対する特徴ある索引語を抽出する抽出手段と、前記調査対象文書の特徴を表わす、母集団或いは索引語を表示、記録、又は通信に出力する出力手段とを備えたことを特徴とする、調査対象文書の情報解析であって、
前記調査対象文書と類似な文書群からなる母集団文書を比較対象文書から選出する選出手段において、前記選出手段が、比較対象文書に対する類似率を算出する算出手段の結果により選出する選出手段であることを特徴とする。【０００８】  また、上記課題を解決するために本発明は、前記調査対象文書及び前記比較対象文書を指定して入力し、前記情報解析をする条件を入力する入力手段と、前記調査対象文書と類似な文書群からなる母集団文書を比較対象文書から選出する選出手段と、前記調査対象文書の前記母集団文書に対する特徴ある索引語を抽出する抽出手段と、前記調査対象文書の特徴を表わす、母集団或いは索引語を表示、記録、又は通信に出力する出力手段とを備えたことを特徴とする、調査対象文書の情報解析であって、
前記選出手段が、比較対象文書に対する類似率を算出する算出手段の結果により選出する選出手段であることにおいて、前記類似率を算出する算出手段が、各文書の索引語毎の出現頻度と文書頻度の関数値による類似率の算出手段であることを特徴とする。【０００９】  また、上記課題を解決するために本発明は、前記調査対象文書及び前記比較対象文書を指定して入力し、前記情報解析をする条件を入力する入力手段と、前記調査対象文書と類似な文書群からなる母集団文書を比較対象文書から選出する選出手段と、前記調査対象文書の前記母集団文書に対する特徴ある索引語を抽出する抽出手段と、前記調査対象文書の特徴を表わす、母集団或いは索引語を表示、記録、又は通信に出力する出力手段とを備えたことを特徴とする、調査対象文書の情報解析であって、
前記調査対象文書の特徴を表わす、母集団或いは索引語を表示、記録、又は通信に出力する出力手段において、前記母集団或いは前記索引語を分布させてマップ状にして表示する前記表示手段と、前記母集団或いは前記索引語のデータを一部表示する表示手段と、前記出力手段が、その内容に応じた定形のコメントを自動的に若しくは選択して、或いは自由なコメントを記入若しくは選択して表示する出力手段を含むことを特徴とする。
【発明の効果】
【００１０】  本発明によれば、調査対象文書及び比較対象文書を指定して入力し、情報解析をする条件を入力する入力手段と、前記調査対象文書と類似な文書群からなる母集団文書を前記比較対象文書から選出する選出手段と、前記調査対象文書の前記母集団文書に対する特徴ある索引語を抽出する抽出手段と、前記調査対象文書の特徴を表わす、母集団或いは索引語を表示、記録、又は通信に出力する出力手段とを備えたので、調査対象文書の情報解析において、調査対象文書の比較対象文書に対する特徴を的確にそして自動的に作成することができる。【００１１】  また、本発明によれば、調査対象文書及び比較対象文書を指定して入力し、情報解析をする条件を入力する入力手段と、前記調査対象文書と類似な文書群からなる母集団文書を前記比較対象文書から選出する選出手段と、前記調査対象文書の前記母集団文書に対する特徴ある索引語を抽出する抽出手段と、前記調査対象文書の特徴を表わす、母集団或いは索引語を表示、記録、又は通信に出力する出力手段とを備え、前記調査対象文書と類似な文書群からなる母集団文書を比較対象文書から選出する選出手段において、前記選出手段が、比較対象文書に対する類似率を算出する算出手段の結果により選出する選出手段とを備えたので、調査対象文書の情報解析において、調査対象文書の比較対象文書に対する特徴を的確にそして自動的に作成することができる。【００１２】  また、本発明によれば、調査対象文書の情報解析において、調査対象文書の比較対象文書に対する特徴を的確にそして自動的に作成する情報解析報告書自動作成装置であって、前記調査対象文書及び前記比較対象文書を指定して入力し、前記情報解析をする条件を入力する入力手段と、前記調査対象文書と類似な文書群からなる母集団文書を比較対象文書から選出する選出手段と、前記調査対象文書の前記母集団文書に対する特徴ある索引語を抽出する抽出手段と、前記調査対象文書の特徴を表わす、母集団或いは索引語を表示、記録、又は通信に出力する出力手段とを備え、前記選出手段が、比較対象文書に対する類似率を算出する算出手段の結果により選出する選出手段であることにおいて、前記類似率を算出する算出手段が、各文書の索引語毎の出現頻度と文書頻度の関数値による類似率の算出手段とを備えたので、調査対象文書の情報解析において、調査対象文書の比較対象文書に対する特徴を的確にそして自動的に作成することができる。【００１３】  また、本発明によれば、調査対象文書の情報解析において、調査対象文書の比較対象文書に対する特徴を的確にそして自動的に作成する情報解析報告書自動作成装置であって、前記調査対象文書及び前記比較対象文書を指定して入力し、前記情報解析をする条件を入力する入力手段と、前記調査対象文書と類似な文書群からなる母集団文書を比較対象文書から選出する選出手段と、前記調査対象文書の前記母集団文書に対する特徴ある索引語を抽出する抽出手段と、前記調査対象文書の特徴を表わす、母集団或いは索引語を表示、記録、又は通信に出力する出力手段とを備え、前記調査対象文書の特徴を表わす、母集団或いは索引語を表示、記録、又は通信に出力する出力手段において、前記母集団或いは前記索引語を分布���せてマップ状にして表示する前記表示手段と、前記母集団或いは前記索引語のデータを一部表示する表示手段と、前記出力手段が、その内容に応じた定形のコメントを自動的に若しくは選択して、或いは自由なコメントを記入若しくは選択して表示する出力手段備えたので、調査対象文書の情報解析において、調査対象文書の比較対象文書に対する特徴を的確にそして自動的に作成することができる。
【発明を実施するための最良の形態】
【００１４】  以下、本発明の実施の形態を図面を参照して詳細に説明する。【００１５】  本明細書の中で使用した語彙を定義或いは説明する。
調査対象文書ｄ：調査に係る、ある案件。例えば、特許公報第何号などの文書、或いはその集合。
比較対象文書Ｐ：調査対象文書を比較する対象の文書、或いはその集合。ｄを含む。
母集団文書Ｓ：比較対象文書Ｐの中で調査対象文書ｄに類似な文書の集団。ｄを含む。【００１６】  図中の構成部品に付してある、ｄ或いは（ｄ）、Ｐ或いは（Ｐ）、又はＳ或いは（Ｓ）は、それぞれ調査対象文書、比較対象文書、又は母集団文書の意味であり、以降判別しやすいように構成部品や動作にも付する。例えば、索引語（ｄ）とは、調査対象文書ｄの索引語を意味し、索引語（Ｐ）とは、比較対象文書Ｐの索引語を意味し、索引語（Ｓ）とは、母集団文書Ｓの索引語を意味する。
ＴＦ演算とはＴｅｒｍ  Ｆｒｅｑｕｅｎｃｙの計算のことであり、ある文書に含まれる索引語の当該文書内の出現頻度（索引語頻度）の計算である。
ＤＦ演算のＤＦとはＤｏｃｕｍｅｎｔ  Ｆｒｅｑｕｅｎｃｙの計算のことであり、ある文書に含まれる索引語で検索対象文書群から検索したときの文書頻度いいかえるとヒット数の計算である。
ＩＤＦ演算とは、例えばＤＦ演算結果の逆数或いは逆数にＰないしＳの文書数を乗じたものの対数などである。【００１７】  以降の説明を簡素にするため、略号を決める。
Ｎ  ：比較対象文書Ｐの文書数
Ｎ’：母集団文書Ｓの文書の数
ＴＦ（ｄ）：ｄの索引語による、ｄの中での出現頻度
ＴＦ（Ｐ）：Ｐの索引語による、Ｐの中での出現頻度
ＤＦ（Ｐ）：Ｐの索引語による、Ｐの中での文書頻度
ＤＦ（Ｓ）：Ｓの索引語による、Ｓの中での文書頻度
ＩＤＦ（Ｐ）：ＤＦ（Ｐ）の逆数×文書数の対数：ｌｎ［Ｎ／ＤＦ（Ｐ）］
ＩＤＦ（Ｓ）：ＤＦ（Ｓ）の逆数×文書数の対数：ｌｎ［Ｎ’／ＤＦ（Ｓ）］
ＴＦＩＤＦ：ＴＦとＩＤＦとの積。文書の索引語ごとに演算される。
類似率：調査対象文書ｄと、比較対象文書Ｐに属する或る文書との類似の程度。【００１８】  ここで、索引語とはいわゆるキーワードであり、文書の全部或いは一部から切り出される単語のことである。単語の切り出し方は従来から知られている方法や市販のソフトを活用して、助詞や接続詞を除き、意味ある名詞を抽出してもよいし、又索引語の辞書（シソーラス）のデータベースを事前に保持し該データベースから得られる索引語を利用してもよい。
尚、調査対象文書が複数ある文書群の場合は、抽出する対象は、前記の通りの索引語でもよいが、ＩＰＣの分類や、企業の群や、年毎のブループ例えば特許出願年や特許登録年などでも可能である。以下、本明細書では、代表して索引語とすることが多い。【００１９】  図１は本発明に係る一実施形態の情報解析報告書自動作成装置のハードウェア構成を示す図である。
同図に示すように、本発明に係る一実施形態の情報解析報告書自動作成装置は、ＣＰＵ（中央演算子）およびメモリィ（記録装置）などから構成される処理装置１、キーボード（手入力器具）などの入力手段である入力装置２、文書データや条件や処理装置１による作業結果などを格納する記録手段である記録装置３、および特徴索引語の抽出結果などをマップやデータなどで表示などする出力手段である出力装置４から構成される。
【実施例１】
【００２０】  図２は本発明に係る一実施形態の情報解析報告書自動作成装置、プログラム、及び方法における構成と機能を詳しく説明する図である。【００２１】  処理装置１は、調査対象文書ｄ読み出し部１１０、索引語（ｄ）抽出部１２０、ＴＦ（ｄ）演算部１２１、比較対象文書Ｐ読み出し部１３０、索引語（Ｐ）抽出部１４０、比較対象文書ＰのＴＦ（Ｐ）演算部１４１、比較対象文書ＰのＩＤＦ（Ｐ）演算部１４２、類似率演算部１５０、母集団文書Ｓ選出部１６０、索引語（Ｓ）抽出部１７０、ＩＤＦ（Ｓ）演算部１７１、特徴索引語ＴＦ（ｄ）ＩＤＦ（Ｓ）演算部１８０などから構成される。【００２２】  入力装置２は、調査対象文書ｄ条件入力部２１０、比較対象文書Ｐ条件入力部２２０、抽出条件その他入力部２３０などから構成される。【００２３】  記録装置３は、条件記録部３１０、作業結果格納部３２０、文書格納部３３０などから構成される。文書格納部３３０は外部データベースや内部データベースを含んでいる。外部データベースとは、例えば特許庁でサービスしている特許電子図書館のＩＰＤＬや、株式会社パトリスでサービスしているＰＡＴＯＬＩＳなどの文書データベースを意味する。又内部データベースとは、販売している例えば特許ＪＰ−ＲＯＭなどのデータを自前で格納したデータベース、文書を格納したＦＤ（フロッピーディスク）、ＣＤＲＯＭ（コンパクトディスク）、ＭＯ（光磁気ディスク）、ＤＶＤ（デジタルビデオディスク）などの媒体から読み出す装置、紙などに出力された或いは手書きされた文書を読み込むＯＣＲ（光学的情報読み取り装置）などの装置及び読み込んだデータをテキストなどの電子データに変換する装置などを含んでいるものとする。【００２４】  出力装置４は、マップ作成条件読み出し部４１０、マップ用データ取り込み部４１２、マップ（グラフ・表）生成部４１５、母集団データ出力条件読み出し部４２０、出力データ取り込み部４２２、コメント条件読み出し部４３０、定形コメント取り込み部４３２、コメント追記部４３５、マップ・データ・コメント複合整形出力部４４０などから構成される。【００２５】  図１及び図２において、処理装置１、入力装置２、記録装置３、および出力装置４の間で信号やデータをやり取りする通信手段としては、ＵＳＢ（ユニバーサルシステムバス）ケーブルなどで直接接続してもよいし，ＬＡＮ（ローカルエリヤネットワーク）などのネットワークを介して送受信してもよいし、文書を格納したＦＤ、ＣＤＲＯＭ、ＭＯ、ＤＶＤなどの媒体を介してもよい。或いはこれらの一部、又はいくつかを組み合わせたものでもよい。【００２６】  図２により本発明に係る一実施形態の情報解析報告書自動作成装置、プログラム、及び方法における機能を詳しく説明する。【００２７】  図２の入力装置２において、調査対象文書ｄ条件入力部２１０は、入力画面などによって調査対象文書ｄの読み出しを行なう条件を設定する。比較対象文書Ｐ条件入力部２２０は、入力画面などによって比較対象文書Ｐの読み出しを行なう条件を設定する。抽出条件その他入力部２３０は、入力画面などによって調査対象文書ｄ及び比較対象文書Ｐの索引語抽出条件、ＴＦ演算の条件、ＩＤＦ演算の条件、類似率演算の条��、類似文書の選出条件、マップ作成条件、データ出力条件、コメント追記条件などを設定する。これら入力された条件は、記録装置３の条件記録部３１０へ送られ格納される。【００２８】  図２の処理装置１において、調査対象文書ｄ読み出し部１１０は、調査対象の文書を、条件記録部３１０の条件に基づいて、文書格納部３３０より読み出しを行ない、索引語（ｄ）抽出部１２０に送られる。索引語（ｄ）抽出部１２０は、条件記録部３１０の条件に基づいて、調査対象文書ｄ読み出し部１１０で得られた文書から索引語の抽出を行ない、作業結果格納部３２０に格納する。【００２９】  比較対象文書Ｐ読み出し部１３０は、母集団の文書を、条件記録部３１０の条件に基づいて、文書格納部３３０より読み出しを行ない、索引語（Ｐ）抽出部１４０に送られる。索引語（Ｐ）抽出部１４０は、条件記録部３１０の条件に基づいて、比較対象文書Ｐ読み出し部１３０で得られた文書から索引語の抽出を行ない、作業結果格納部３２０に格納する。【００３０】  前記の、比較対象文書Ｐ読み出し部１３０、及び索引語（Ｐ）抽出部１４０については、通常は、比較対象文書のひとつである特許公開公報などの公報全部という場合が多く、一度索引語を切り出して用意し保存しておけば、わざわざ改めて切り出す必要はないので、省略することができる。【００３１】  ＴＦ（ｄ）演算部１２１は，条件記録部３１０の条件に基づいて、作業結果格納部３２０に格納された調査対象文書ｄについての索引語（ｄ）抽出部１２０の作業結果を、ＴＦ演算して、作業結果格納部３２０に格納或いは直接、類似率演算部１５０、或いは特徴索引語ＴＦ（ｄ）ＩＤＦ（Ｓ）演算部１８０に送られる。【００３２】  ＴＦ（Ｐ）演算部１４１は，条件記録部３１０の条件に基づいて、作業結果格納部３２０に格納された比較対象文書Ｐについての索引語（Ｐ）抽出部１４０の作業結果を、ＴＦ演算して、作業結果格納部３２０に格納或いは直接類似率演算部１５０に送られる。【００３３】  ＩＤＦ（Ｐ）演算部１４２は、条件記録部３１０の条件に基づいて、作業結果格納部３２０に格納された比較対象文書Ｐについての索引語（Ｐ）抽出部１４０の作業結果を、ＩＤＦ演算して、作業結果格納部３２０に格納、或いは直接類似率演算部１５０に送られる。【００３４】  類似率演算部１５０は、条件記録部３１０の条件に基づいて、ＴＦ（ｄ）演算部１２１、ＴＦ（Ｐ）演算部１４１、及びＩＤＦ（Ｐ）演算部１４２の演算結果を、それぞれから直接或いは作業結果格納部３２０から得て、比較対象文書Ｐの文書それぞれの、調査対象文書ｄに対する類似率を演算し、比較対象文書Ｐのそれぞれに類似率データとして付され、作業結果格納部３２０或いは直接母集団文書Ｓ選出部１６０に送られる。【００３５】  類似率演算部１５０における、類似率の演算は、各文書が索引語毎に、例えばＴＦＩＤＦ演算などに代表される計算がなされ、比較対象文書Ｐの文書それぞれの、調査対象文書ｄに対する類似率が計算される。ＴＦＩＤＦ演算とは、ＴＦ演算結果とＩＤＦ演算結果の積である。類似率の演算方法は後で詳しく述べる。【００３６】  類似率の演算の方法はいろいろあるので、前記の、ＴＦ（ｄ）演算部１２１、ＴＦ（Ｐ）演算��１４１、及びＩＤＦ（Ｐ）演算部１４２に基づいた類似率演算部１５０の場合はこのままでよいが、前記の、ＴＦ（ｄ）演算部１２１、ＴＦ（Ｐ）演算部１４１、及びＩＤＦ（Ｐ）演算部１４２を必要としないに類似率の演算の方法のときは、総て省略して類似率演算部１５０だけとしてもよい、ことは言うまでもない。【００３７】  母集団文書Ｓ選出部１６０は、条件記録部３１０の条件に基づいて、作業結果格納部３２０或いは直接類似率演算部１５０の結果から、母集団文書Ｓの類似率演算結果のうち、条件に記された選出方法により選出、例えば類似率の高い順に文書をソートし、条件に記された必要な数だけ選出し、作業結果格納部３２０或いは直接索引語（Ｓ）抽出部１７０に送られる。【００３８】  また、母集団文書Ｓ選出部１６０の出力から、直接、マップ用データ取り込み部４１２や出力データ取り込み部４２２に進むことがあるので、その場合は、以降の構成は不要となることも言うまでもない。【００３９】  索引語（Ｓ）抽出部１７０は、条件記録部３１０の条件に基づいて、作業結果格納部３２０或いは母集団文書Ｓ選出部１６０の結果の母集団文書Ｓから、索引語（Ｓ）を抽出し、作業結果格納部３２０或いは直接ＩＤＦ（Ｓ）演算部１７１に送られる。【００４０】  ＩＤＦ（Ｓ）演算部１７１は、条件記録部３１０の条件に基づいて、作業結果格納部３２０或いは直接索引語（Ｓ）抽出部１７０の作業結果を、ＩＤＦ演算して、作業結果格納部３２０に格納或いは直接、特徴索引語ＴＦ（ｄ）ＩＤＦ（Ｓ）演算部１８０に送られる。【００４１】  特徴索引語ＴＦ（ｄ）ＩＤＦ（Ｓ）演算部１８０は、条件記録部３１０の条件に基づいて、作業結果格納部３２０から、或いはＴＦ（ｄ）演算部１２１の結果、及び直接ＩＤＦ（Ｓ）演算部１７１の結果から、選出のための条件に記された必要な数だけ、或いは条件に基づいた計算結果により選ばれた数だけ、母集団文書を、例えば類似率の高い順に選出して、作業結果格納部３２０に送る。【００４２】  図２の記録装置３において、条件記録部３１０は、入力装置２から得られた条件などの情報を記録し、処理装置１或いは出力装置４の要求に基づき、それぞれに必要なデータを送る。作業結果格納部３２０は、処理装置１における各構成部位の作業結果を格納し、処理装置１或いは出力装置４の要求に基づき、それぞれに必要なデータを送る。【００４３】  文書格納部３３０は、入力装置２或いは処理装置１の要求に基づき、外部データベース或いは内部データベースから得た、必要な文書データを格納し、提供する。【００４４】  図２の出力装置４において、マップ作成条件読出部４１０は、条件記録部３１０の条件に基づいて、マップの作成条件を読み出し、マップ用データ取り込み部４１２に送る。母集団データ出力条件読出部４２０は、条件記録部３１０の条件に基づいて、母集団データの出力条件を読み出し、出力データ取り込み部４２２に送る。コメント条件読出部４３０は、条件記録部３１０の条件に基づいて、コメントの出力条件や追記条件を読み出し、コメント追記部４３２に送る。【００４５】  マップ用データ取り込み部４１２は、マップ作成条件読み出し部４１０の条件に従い、作業結果格納部３２０に格納された��母集団文書Ｓ選出部１６０の結果や特徴索引語ＴＦ（ｄ）ＩＤＦ（Ｓ）演算部１８０の結果などを、文書格納部３３０のデータとともに取り込み、作業結果格納部３２０或いは直接マップ（グラフ・表）生成部４１５に送られる。【００４６】  マップ（グラフ・表）生成部４１５は、マップ用データ取り込み部４１２からのデータを使って、グラフ、表、タイトル、凡例などを生成し、マップ・データ・コメント複合整形出力部４４０に送られる。【００４７】  出力データ取り込み部４２２は、データ出力条件読み出し部４２０の条件に従い、作業結果格納部３２０に格納された、母集団文書Ｓ選出部１６０の結果や特徴索引語ＴＦ（ｄ）ＩＤＦ（Ｓ）演算部１８０の結果などを、文書格納部３３０のデータとともに取り込み、作業結果格納部３２０或いは直接マップ・データ・コメント複合整形出力部４４０に送られる。【００４８】  定形コメント取り込み部４３２は、コメント条件読出部４３０の条件に従い、作業結果格納部３２０や文書格納部３３０のデータを取り込み、コメント追記部４３５に、或いは直接マップ・データ・コメント複合整形出力部４４０に送られる。【００４９】  コメント追記部４３５は、コメント条件読出部４３０の条件に従い、キーボードやＯＣＲなどの外部入力装置から直接、或いは文書格納部３３０の内部データベースに事前に用意したものを、調査対象文書ｄの評価者のコメントとして追記するためのデータを用意し、作業結果格納部３２０或いは直接マップ・データ・コメント複合整形出力部４４０に送られる。【００５０】  マップ・データ・コメント複合整形出力部４４０は、マップ（グラフ・表）生成部４１５から出力される条件とデータ、出力データ取り込み部４２２から出力される条件とデータ、定形コメント取り込み部４３２から出力される条件とデータ及びコメント追記部４３５から出力される条件とデータをそれぞれ直接或いは作業結果格納部３２０より得て、マップ・データ・コメントを紙出力として最適な形に整形したあと複合的に出力する用意をし、マップ上に表示し、データ一覧に出力し、及びコメント或いはそれらの一部を表示、印刷、若しくはデータで格納できるように出力する。【００５１】  図３、図４、及び図５は本発明に係る一実施形態の情報解析報告書自動作成装置、プログラム、及び方法における典型的な一例の動作を説明する図である。【００５２】  図３は、入力装置２による各構成の動作を示す条件設定のフローチャートである。まず初期化（ステップＳ２０１）のあと、入力する条件を区別する（ステップＳ２０２）。このとき、条件が調査対象文書ｄの条件入力であるとき、調査対象文書ｄ条件入力部２１０において調査対象文書ｄの条件を入力する（ステップＳ２１０）。次に、入力した条件を表示画面で確認し、よければ設定を選んで条件記録部３１０で格納し（ステップＳ３１０）、悪ければ戻るを選んでステップＳ２１０に戻る（ステップＳ２１１）。【００５３】  一方ステップＳ２０２において条件が比較対象文書Ｐの条件入力であるとき、比較対象文書Ｐ条件入力部２２０において比較対象文書Ｐの条件を入力する（ステップＳ２２０）。次に、入力した条件を表示画面で確認し、よければ設定を選んで条件記録部３���０で格納し（ステップＳ３１０）、悪ければ戻るを選んでステップＳ２２０に戻る（ステップＳ２２１）。【００５４】  又、ステップＳ２０２において条件が抽出条件その他であるとき、抽出条件その他入力部２３０において抽出条件その他を入力する（ステップＳ２３０）。次に、入力した条件を表示画面で確認し、よければ設定を選んで条件記録部３１０で格納し（ステップＳ３１０）、悪ければ戻るを選んでステップＳ２３０に戻る（ステップＳ２３１）。該ステップＳ２３０においては、調査対象文書ｄの抽出条件と、比較対象文書Ｐからの母集団文書Ｓの抽出条件の両方を設定する。【００５５】  図４は、処理装置１による各構成の動作を示すフローチャートである。まず初期化（ステップＳ１０１）のあと、条件記録部３１０の条件に基づいて、文書格納部３３０から読み出す文書を、調査対象文書ｄと比較対象文書Ｐに区別する（ステップＳ１０２）。読み出す文書が調査対象文書ｄであるとき、調査対象文書ｄ読み出し部１１０において調査対象文書を文書格納部３３０より読み出す（ステップＳ１１０）。次に、索引語（ｄ）抽出部１２０において調査対象文書ｄの索引語抽出を行なう（ステップＳ１２０）。引き続き、抽出された索引語の各々について、ＴＦ（ｄ）演算部１２１においてＴＦ演算をする（ステップＳ１２１）。【００５６】  一方ステップＳ１０２において、読み出す文書が比較対象文書Ｐであるとき、比較対象文書Ｐ読み出し部１３０において比較対象文書Ｐを読み出す（ステップＳ１３０）。次に、索引語（Ｐ）抽出部１４０において比較対象文書Ｐの索引語抽出を行なう（ステップＳ１４０）。引き続き、抽出された索引語の各々について、ＴＦ（Ｐ）演算部１４１においてＴＦ演算をする（ステップＳ１４１）とともに、ＩＤＦ（Ｐ）演算部１４２においてＩＤＦ演算をする（ステップＳ１４２）。【００５７】  次に、ＴＦ（ｄ）演算部１２１の出力のＴＦ（ｄ）演算結果と、ＴＦ（Ｐ）演算部１４１の出力のＴＦ（Ｐ）演算結果、及びＩＤＦ（Ｐ）演算部１４２の出力のＩＤＦ（Ｐ）演算結果にて、類似率演算部１５０において、文書の各索引語についての演算結果を出し、例えば索引語の平均値を出して、文書の類似率とする、などして類似率の演算を行なう（ステップＳ１５０）。【００５８】  類似率の演算の方法がＴＦＩＤＦなどではない場合は、調査対象文書ｄの索引語（ｄ）抽出部１２０と比較対象文書Ｐの索引語（Ｐ）抽出部１４０から、別の方法により類似率が求められることがある。【００５９】  次に、母集団文書Ｓ選出部１６０により、ステップＳ１５０にて演算した文書を類似率の順に並べ替え、抽出条件その他入力部２３０において設定した条件に沿った数の母集団文書Ｓを選出する（ステップＳ１６０）。【００６０】  これらのデータは、出力装置４のマップ（グラフ・表）生成部４１５やマップ・データ・コメント複合整形出力部４４０で直接利用することがある。【００６１】  次に、母集団文書Ｓの索引語（Ｓ）抽出部１７０により、ステップＳ１６０にて選出した母集団文書Ｓの索引語（Ｓ）を抽出する（ステップＳ１７０）。【００６２】  次に、索引語（ｄ）の各々について、ＩＤＦ（Ｓ）演算部１７１により、ＩＤＦ演算する（ステ���プＳ１７１）。【００６３】  次に、ステップＳ１７１による母集団文書Ｓにおける索引語（ｄ）の各々についてのＩＤＦ（Ｓ）演算の結果と、Ｓ１２１ステップによる調査対象文書ｄにおける索引語（ｄ）の各々についてのＴＦ（ｄ）演算の結果とから、特徴索引語演算ＴＦ（ｄ）ＩＤＦ（Ｓ）を行なう（ステップＳ１８０）。【００６４】  図５は、出力装置４による、マップ、データ、及び或いはコメントの出力のフローチャートである。まず初期化（ステップＳ４０１）のあと、条件記録部３１０から読み出す条件を、マップ作成条件と、データ出力条件と、コメント追記条件に区別する（ステップＳ４０２）。【００６５】  条件記録部３１０から読み出す条件がマップ作成条件であるとき（ステップＳ４１０）、マップを必要とする条件であったら（ステップＳ４１１）、作業結果格納部３２０からマップ用データ取り込み部４１２によりマップ用データ取り込みを行なう（ステップ４１２）。マップ作成条件読み出し部４１０のマップ作成条件に沿って、グラフや表などのマップを生成し（ステップＳ４１５）、続いて、マップを表示する準備をし（ステップ４１９）、マップ・データ・コメント複合整形出力部４４０に送る。【００６６】  一方、条件記録部３１０から読み出す条件が母集団データ出力条件であるとき（ステップＳ４２０）、データを必要とする条件であったら（ステップＳ４２１）、作業結果格納部３２０から出力データ取り込み部４２２により出力用データ取り込みを行なう（ステップＳ４２２）。次に、データ出力条件読み出し部４２０のデータ出力条件に沿って、データを出力し（ステップＳ４２３）、続いて、データを出力する準備をし（ステップ４２９）、マップ・データ・コメント複合整形出力部４４０に送る。【００６７】  また一方、条件記録部３１０から読み出す条件がコメント条件であるとき（ステップＳ４３０）、コメントを必要とする条件であったら（ステップＳ４３１）、マップ・データ・コメント複合整形出力部４４０にて、コメントを追記できる枠を準備し、該枠内に、キーボードから或いはＯＣＲから、手入力するか（ステップＳ４３５）、或いは又は、文書格納部３３０の内部データベースにある、事前に準備されたコメントを使って、コメントを取り込み（ステップＳ４３２）、続いて、コメントを出力する準備をし（ステップ４３９）、マップ・データ・コメント複合整形出力部４４０に送る。【００６８】  ステップＳ４１１でマップを表示する条件でなかったら、又はステップＳ４２１でデータを出力する条件でなかったら、又はステップＳ４３１でコメントを追記する条件でなかったら、それぞれその時点で終了し、マップ・データ・コメント複合整形出力部４４０へはデータを送らない。【００６９】  図７は、本発明に係る情報解析報告書自動作成装置の一実施形態の入力装置２の入力条件設定画面である。【００７０】  図７は、情報解析報告書自動作成装置の前記入力装置２の入力条件設定（１）画面の表示例である。図７において、「対象文書」のウインドの「調査対象文書」と「比較対象文書」の中から「調査対象文書」を選び、次に「文書内容」のウインドの「公開特許」「登録特許」「実用新案」「学術文献」などの中から「公開特許」を選び、次に「データの読み出し」のウインドの「自社ＤＢ１」「自社ＤＢ２」「特許庁ＩＰＤＬ」「ＰＡＴＯＬＩＳ」「他商用ＤＢ１」「他商用ＤＢ２」「ＦＤ」「ＣＤ」「ＭＯ」「ＤＶＤ」「その他」などの中から「ＦＤ」を選び、更に「ＦＤ」の「文書１」「文書２」「文書３」「文書４」「文書５」「文書６」などの中から「文書３」を選んだ状態の例である。【００７１】  図８は、情報解析報告書自動作成装置の前記入力装置２の入力条件設定（２）画面の表示例である。図８において、「対象文書」のウインドの「調査対象文書」と「比較対象文書」などの中から「比較対象文書」を選び、次に「文書内容」のウインドの「公開特許」「登録特許」「実用新案」「学術文献」などの中から「公開特許」と「登録特許」の両方を選び、次に「抽出内容」のウインドの「請求項」「従来技術」「発明の課題」「手段・効果」「実施例」「図の説明」「図面」「要約」「書誌事項」「経過情報」「登録情報」「その他」などの中から「請求項」と「要約」の両方を選び、次に「データの読み出し」のウインドで前述と同じ項目の中から「自社ＤＢ１」を選んだ状態の例である。この例の入力条件設定画面における設定条件が、調査対象文書ｄ条件入力部２１０と比較対象文書Ｐ条件入力部２２０を設定する。【００７２】  図９は、情報解析報告書自動作成装置の前記入力装置２の入力条件設定（３）画面の表示例である。「索引語抽出条件」のウインドの「自社キーワード切出１」「自社キーワード切出２」「商用キーワード切出１」「商用キーワード切出２」などの中から「自社キーワード切出１」を選び、次に「類似率算出方法」のウインドの「類似率１」「類似率２」「類似率３」「類似率４」「類似率５」「類似率６」などの中から「類似率１」を選び、次に「母集団文書選出」のウインドの「母集団文書数」「非母集団文書数」などの中から「母集団文書数」を選び、更に「上位１００件」「上位１０００件」「上位３０００件」「上位５０００件」「数値入力」などの中から「上位３０００件」を選んだ状態の例である。この例の抽出条件設定画面における設定条件が、抽出条件その他入力部２３０を設定する。【００７３】  図１０は、情報解析報告書自動作成装置の前記出力装置２の出力条件設定画面の表示例である。「マップ算出方法」のウインドの「ｘ軸」に「ｘ軸：索引語件数」及び「ｙ軸」に「ｙ軸：索引語順位」を選び、次に「マップ位置」のウインドの「マップ１枚」「マップ２枚」「マップ１枚・データ付」「マップ２枚・データ付」「マップ１枚・コメント付」「マップ２枚・コメント付」「マップ１・データ・コメント付」「マップ２・データ・コメント付」などの中から「マップ１枚」を選び、次に「出力データ」のウインドの「独創語」「専門語」「母集団特性語」などの中から「独創語」を選び、更に「なし」「上位５個」「上位１０個」「上位１５個」「上位２０個」「数値入力」などの中から「上位２０個」を選んだ状態の例である。次に「コメン卜」のウインドの枠内の「（自由記入）」には無記入にした。こうして抽出条件その他入力部２３０の出力条件を設定する。【００７４】  図１１は、本発明の情報解析報告書自動作成装置において、図７から図１０までの例で���力したときの、母集団文書Ｓ選出部１６０の選出結果、及び特徴索引語ＴＦ（ｄ）ＩＤＦ（Ｓ）演算部１８０の抽出結果を、マップ（グラフ・表）生成部４１５を介して、マップ・データ・コメント複合整形出力部４４０にて出力した出力結果の、具体例である。【００７５】  図１１から、本発明の情報解析報告書自動作成装置において、調査対象文書ｄの「ＷＥＢサイトへのアクセス促進システム」に関する公開特許公報にとって、比較対象文書として特許公開公報と特許公報の約１０年分の文書と比較して、特徴のある索引語を調べた結果、「会員」「画像」「ＷＥＢ」「表示」などが特徴索引語であることが分かる。
【実施例２】
【００７６】  図１２乃至図３１は、本発明の情報解析報告書自動作成装置の別の例で、図１１のときと同条件で情報解析したときの、母集団文書Ｓ選出部１６０の選出結果、及び特徴索引語ＴＦ（ｄ）ＩＤＦ（Ｓ）演算部１８０の抽出結果を、マップ（グラフ・表）生成部４１５を介して、マップ・データ・コメント複合整形出力部４４０にて出力した出力結果の、マップ表示の具体例である。
【図面の簡単な説明】
【００７７】
【図１】は本発明に係る構成図
【図２】は本発明に係る一実施形態の詳細な構成図
【図３】は本発明に係る一実施形態の入力装置２の動作を示すフローチャート
【図４】は本発明に係る一実施形態の処理装置１の動作を示すフローチャート
【図５】は本発明に係る一実施形態の出力装置４の動作を示すフローチャート
【図６】は従来例
【図７】は本発明に係る一実施形態の入力条件設定の実施例
【図８】は本発明に係る一実施形態の入力条件設定の実施例
【図９】は本発明に係る一実施形態の入力条件設定の実施例
【図１０】は本発明に係る一実施形態の出力条件設定の実施例
【図１１】は本発明の実施例
【図１２】は本発明の別の実施例の表示例
【図１３】は本発明の別の実施例の表示例
【図１４】は本発明の別の実施例の表示例
【図１５】は本発明の別の実施例の表示例
【図１６】は本発明の別の実施例の表示例
【図１７】は本発明の別の実施例の表示例
【図１８】は本発明の別の実施例の表示例
【図１９】は本発明の別の実施例の表示例
【図２０】は本発明の別の実施例の表示例
【図２１】は本発明の別の実施例の表示例
【図２２】は本発明の別の実施例の表示例
【図２３】は本発明の別の実施例の表示例
【図２４】は本発明の別の実施例の表示例
【図２５】は本発明の別の実施例の表示例
【図２６】は本発明の別の実施例の表示例
【図２７】は本発明の別の実施例の表示例
【図２８】は本発明の別の実施例の表示例
【図２９】は本発明の別の実施例の表示例
【図３０】は本発明の別の実施例の表示例
【図３１】は本発明の別の実施例の表示例
【符号の説明】
【００７８】  １：処理装置、２：入力装置、３：記録装置、４：出力装置，
１１０：調査対象文書ｄ読み出し部、１２０：索引語（ｄ）抽出部、１３０：比較対象文書Ｐ読み出し部、１４０：索引語（Ｐ）抽出部、１２１：ＴＦ（ｄ）演算部，１４１：ＴＦ（Ｐ）演算部、１４２：ＩＤＦ（Ｐ）演算部、１５０：類似率演算部、１６０：母集団文書Ｓ選出部、１７０：索引語（Ｓ）抽出部、１７１：ＩＤＦ（Ｓ）演算部、１８０：特徴索引語ＴＦ（ｄ）ＩＤＦ（Ｓ）演算部、
２１０：調査対象文書ｄ条件入力部、２２０：比較対象文書Ｐ条件入力部、２３０：抽出条件その他入力部、
３１０：条件記録部、３２０：作業結果格納部、３３０：文書格納部、
４１０：マップ作成条件読出部、４１２：マップ用データ取り込み部、４２０：母集団データ出力条件読み出し部、４２２：出力データ取り込み部、４３０：コメント条件読出部、４３２：定形コメント取り込み部、４３５：コメント追記部、４４０：マップ・データ・コメント複合整形出力部。
【図１】
2005128978.tif 000003
【図２】
2005128978.tif 000004
【図３】
2005128978.tif 000005
【図４】
2005128978.tif 000006
【図５】
2005128978.tif 000007
【図６】
2005128978.tif 000008
【図７】
2005128978.tif 000009
【図８】
2005128978.tif 000010
【図９】
2005128978.tif 000011
【図１０】
2005128978.tif 000012
【図１１】
2005128978.tif 000013
【図１２】
2005128978.tif 000014
【図１３】
2005128978.tif 000015
【図１４】
2005128978.tif 000016
【図１５】
2005128978.tif 000017
【図１６】
2005128978.tif 000018
【図１７】
2005128978.tif 000019
【図１８】
2005128978.tif 000020
【図１９】
2005128978.tif 000021
【図２０】
2005128978.tif 000022
【図２１】
2005128978.tif 000023
【図２２】
2005128978.tif 000024
【図２３】
2005128978.tif 000025
【図２４】
2005128978.tif 000026
【図２５】
2005128978.tif 000027
【図２６】
2005128978.tif 000028
【図２７】
2005128978.tif 000029
【図２８】
2005128978.tif 000030
【図２９】
2005128978.tif 000031
【図３０】
2005128978.tif 000032
【図３１】
2005128978.tif 000033